(57)【特許請求の範囲】
【請求項１】
無線電波を送信及び又は受信するアンテナを有するアンテナ装置において、
モータの回転に応じて、筺体の内部空気と上記筺体の外部空気とを入れ換えるプロペラと、
上記プロペラに設けられ、上記無線電波を送信及び又は受信するためのアンテナと
を具え、
上記モータの回転に応じて上記アンテナを移動させてそのアンテナの指向性を時間的に変化させるようにした
ことを特徴とするアンテナ装置。
【請求項２】
無線電波を送信及び又は受信するアンテナを有するアンテナ装置において、
モータの回転に応じて、筺体の内部空気と上記筺体の外部空気とを入れ換えるプロペラと、
上記プロペラに設けられ、上記無線電波を所定方向に導く導波器と
を具え、
上記モータの回転に応じて上記導波器を移動させて上記アンテナの指向性を時間的に変化させるようにした
ことを特徴とするアンテナ装置。
【請求項３】
無線電波を送信及び又は受信するアンテナを有するアンテナ装置において、
上記無線電波を反射する材質でなり、モータの回転に応じて筺体の内部空気と上記筺体の外部空気とを入れ換えるプロペラと
を具え、
上記モータの回転に応じて上記アンテナに対する上記無線電波の反射を変化させて上記アンテナの指向性を時間的に変化させるようにした
ことを特徴とするアンテナ装置。
【請求項４】
無線電波を送信及び又は受信する無線通信装置において、
上記無線電波をアンテナを介して送信及び又は受信する信号を生成及び又は復調する通信装置本体と、
上記無線電波を送信及び又は受信する際に、上記アンテナの指向性を時間的に変化させるアンテナ装置部と
を具え、
上記アンテナ装置部は、
モータの回転に応じて、筺体の内部空気と上記筺体の外部空気とを入れ換えるプロペラに上記アンテナを設けるようにした
ことを特徴とする無線通信装置。
【請求項５】
無線電波を送信及び又は受信する無線通信装置において、
上記無線電波をアンテナを介して送信及び又は受信する信号を生成及び又は復調する通信装置本体と、
上記無線電波を送信及び又は受信する際に、上記アンテナの指向性を時間的に変化させるアンテナ装置部と
を具え、
上記アンテナ装置部は、
モータの回転に応じて、筺体の内部空気と上記筺体の外部空気とを入れ換えるプロペラに、上記無線電波を所定方向に導く導波器を設けるようにした
ことを特徴とする無線通信装置。
【請求項６】
無線電波を送信及び又は受信する無線通信装置において、
上記無線電波をアンテナを介して送信及び又は受信する信号を生成及び又は復調する通信装置本体と、
上記無線電波を送信及び又は受信する際に、上記アンテナの指向性を時間的に変化させるアンテナ装置部と
を具え、
上記アンテナ装置部は、
モータの回転に応じて、筺体の内部空気と上記筺体の外部空気とを入れ換えるプロペラを、上記無線電波を反射させる材質とした
ことを特徴とする無線通信装置。
【発明の詳細な説明】
【０００１】
【目次】
以下の順序で本発明を説明する。
【０００２】
発明の属する技術分野
従来の技術
発明が解決しようとする課題
課題を解決するための手段
発明の実施の形態
（１）第１実施例（図１〜図２）
（２）第２実施例（図３）
（３）第３実施例（図４）
（４）他の実施例
発明の効果
【０００３】
【発明の属する技術分野】
本発明はアンテナ装置及び無線通信装置に関し、例えば無線電波でデータを送受信するデータ伝送装置付パーソナルコンピユータ（以下、これを無線モデム付パソコンと呼ぶ）に適用して好適なものである。
【０００４】
【従来の技術】
従来、無線モデム付パソコンがあり、親機としてのパソコンと子機としてのコードレス電話とで構成されており、パソコンとコードレス電話との間で音声等のデータを無線通信している。
【０００５】
【発明が解決しようとする課題】
ところでかかる構成の無線モデム付パソコンにおいては、親機と子機との間で良好に通信していることが望まれている。ところが通信品質が劣化する場合がある。ここで親機から子機への方向、いわゆる下り方向について通信品質が劣化する原因を説明する。
【０００６】
かかる問題が生じる第１の原因は、無線モデム付パソコンにおいては、まず親機の送信電力が弱くなると、子機に向けて放射された電波が徐々に弱くなることにより、子機のアンテナに伝搬される電波が徐々に弱くなり、子機のアンテナによつて受信される電波が弱くなり、このため良好な通信を維持し得なくなる。
【０００７】
かかる通信品質に劣化を生じる第２の原因は、親機のアンテナに所定の送信電力を供給すると、アンテナは供給された送信電力を電波に変換する。この送信電力を電波に変換する変換能率がアンテナの形状及び大きさによつて変わつてくる。すなわちアンテナ利得が悪いと放射する電波が弱くなり、このため良好な通信を維持し得なくなる。
【０００８】
かかる通信品質に劣化を生じる第３の原因は、親機と子機との間の距離が長くなるにつれて親機のアンテナが放射する電波が減衰されるので、子機のアンテナに到達する電波は弱くなり、このため良好な通信を維持し得なくなる。
【０００９】
かかる通信品質に劣化を生じる第４の原因は、親機と子機との間に様々な反射物があるため親機のアンテナが放射した電波は多重波として、多数の電波通路を通つて子機のアンテナに到達し、この多数の電波通路に２つ以上の電波が通つて子機に到達しているとき、親機と子機との間には各電波の位相がそれぞれ別々に変動し、その干渉によつて電波の強さが時間的に変わるフエージング（fading）が生じるために、このフエージングによつて電波が弱くなることにより、子機のアンテナによつて受信される電波が弱くなり、このため良好な通信を維持し得なくなる。
【００１０】
かかる通信品質に劣化を生じる第５の原因は、子機のアンテナが電波を受信し、この電波をアンテナが受信電力に変換すると、この電波を受信電力に変換する変換能率が当該アンテナの形状及び大きさによつて変わつてくる。すなわちアンテナ利得が悪いと、この結果得られる受信電力は弱くなり、このため良好な通信を維持し得なくなる。
【００１１】
かかる通信品質に劣化を生じる第６の原因は、子機のアンテナが電波を受信し、この電波を受信電力に変換し、受信回路に入力する。受信回路は入力された受信信号を受信する。このとき受信回路はこの受信信号を受信する程度が低いと、すなわち受信感度が低いと、このため良好な通信を維持し得なくなる。
【００１２】
実際上、無線モデム付パソコンは、例えば親機が屋内の１階に設置され、一方子機が屋内の２階に設置されている場合において、親機と子機との間で無線通信すると、屋内には空間が閉鎖された壁などの電波を反射する物体等がある。
【００１３】
これに加えて屋内では、フエージングによつて各電波の位相がそれぞれ別々に変動され、その干渉によつて打ち消し合うことにより、電波の届かない場所（以下、これをデツドポイントと呼ぶ）が発生するおそれがある。この場合、室内には電波を散乱させる移動体等が屋外に比して少ないため、当該移動体等によつて電波の伝搬経路がほとんど変化されないことにより、アンテナの持つている固有な方向特性（以下、これをアンテナの指向性と呼ぶ）が変化されないためにデツドポイントは殆ど場所を変えることなくほぼ定常的に発生していると考えられる。
【００１４】
このようなデツドポイントの場所に子機が設置されていると、無線モデム付パソコンでは親機と子機との間で通信不能に陥つてしまうおそれがあつた。因に、運良くこのようなデツドポイント以外の場所に子機が設置されていても、ユーザが通話をするために子機を保持し通話を開始した場合、子機を保持した位置がデツドポイントの場所になつてしまうと、通信品質に劣化を生じることにより、通話音に雑音が発生したり、通話音が途絶するおそれがあつた。
【００１５】
これを回避する方法として、子機の受信回路は入力された受信信号を復調した後、デインターリーブによつてデータの並びを元に戻すと共にビタビ復号等の復号化を行い、送信データを復元する。これによりフエージングによる瞬時受信レベルの低下で発生したバーストエラーを誤り訂正技術によつてエラーを少なくしている。従つて子機が瞬間的にデツドポイントの場所にある場合、雑音が発生したり通信不能に陥ることを防いでいる。
【００１６】
ところが上述のような対策が施されている無線モデム付パソコンであつたとしても、運悪くこのように定常的に殆ど場所を変えることのないデツドポイントの場所に子機が長時間滞在してしまうと、長時間にわたるバーストエラーが発生して誤り訂正できなくなり、通信不能に陥つてしまう問題があつた。
【００１７】
本発明は以上の点を考慮してなされたもので、簡易な構成でフエージングによる悪影響を回避して良好な状態で無線通信し得るアンテナ装置及び無線通信装置を提案しようとするものである。
【００１８】
【課題を解決するための手段】
かかる課題を解決するため本発明は、アンテナ装置又は無線通信装置において、モータの回転に応じて、筺体の内部空気と筺体の外部空気とを入れ換えるプロペラと、プロペラに設けられ、無線電波を送信及び又は受信するためのアンテナとを設け、当該モータの回転に応じてアンテナを移動させてアンテナの指向性を時間的に変化させるようにした。これにより定常的なデツドポイントが発生することを回避できるため、良好な状態で無線通信し得るアンテナ装置又は無線通信装置を実現することができる。
【００１９】
【発明の実施の形態】
以下図面について、本発明の一実施例を詳述する。
【００２０】
（１）第１実施例
図１において、１は全体として無線モデム付パソコンを示し、大きく分けて親機としてのパソコン２と子機としてのコードレス電話３とで構成されている。
【００２１】
パソコン２は、電話回線から入力される音声等の送信信号Ｓ１を畳み込み符号器６に入力する。畳み込み符号器６は入力された送信信号Ｓ１に所定の拘束長及び所定の符号化率の畳み込み符号化を施し、その結果得た送信データＳ２をフレームインターリーブ回路７に送出する。フレームインターリーブ回路７は入力された送信データＳ２に対して１フレーム内で完結する乱雑なデータ順序の並び換えを行い、その結果得た送信データＳ３をＤＱＰＳＫ（差動４相位相偏位変調：Differential Quadrature Phase Shift Keying）変調器８に送出する。
【００２２】
ＤＱＰＳＫ変調器８は、入力された送信データＳ３にＤＱＰＳＫ変調を施し、その結果得た送信信号Ｓ４を高周波回路９に送出する。高周波回路９は入力された送信信号Ｓ４を所定の周波数〔Hz〕の送信信号Ｓ５に周波数変換すると共に、所望電力まで増幅し、その結果得られた送信信号Ｓ５をアンテナ装置部４のダイポールアンテナ１０に送出する。
【００２３】
ダイポールアンテナ１０は、送信信号Ｓ５を電波Ｅ１（図１に矢印で示す）に変換して、アンテナの指向性可変部５及びコードレス電話機３に向けて空間中に放射する。ここでダイポールアンテナ１０は、放射する電波Ｅ１が半波長になるように長さが選定されている。
【００２４】
指向性可変部５は、回転体１２を有し、当該回転体１２は回転軸２６を中心として１方向に回転する。この回転体１２には、当該回転体の中心から放射状に８枚のフイン１２Ａが配設されている。このフイン１２Ａは、非導電性の物質で構成されており、放射された電波Ｅ１を透過する。
【００２５】
この実施例の場合、１枚のフイン１２Ａの内部には、１本の導体棒１３が配設されている。この導体棒１３は、半波長のアンテナ１０に対して自由空間波長が 1/2程度になるように形状及び大きさが選定されている。この導体棒１３は、各フイン１２Ａごとに１本配設され、８枚のフイン１２Ａを有する回転体１２としては８本の導体棒１３が配設されていることになる。
【００２６】
この回転体１２には、個々の導体棒１３の間隔が半波長程度になるように導体棒１３が配設されている。このような導体棒１３を有する回転体１２が回転したとき、すなわち導体棒１３が回転移動されアンテナ１０に最も近づくとき、当該アンテナ１０からの距離が半波長程度になる位置に導体棒１３が配設されている。
【００２７】
指向性可変部５は、上述のような導体棒１３を回転移動させることにより、放射された電波Ｅ１のうち、導体棒１３の周辺を伝搬する電波Ｅ１をアンテナ１０と当該導体棒１３とを結ぶ所定の延長線方向に導くことにより、電波Ｅ１の放射方向を切り換えて電波Ｅ２として、この電波Ｅ２をコードレス電話機３に向けて放射する。
【００２８】
かくして、アンテナ装置部４においては、電波Ｅ１を放射する放射導体としてアンテナ１０と、無給電素子が電波Ｅ１を所定方向に導く働きをする導波器としての導体棒１３とを有し、このアンテナ１０から放射された電波Ｅ１に対して当該導体棒１３を回転移動させることにより、電波Ｅ１の伝搬経路を時間的に変化させている。すなわち、アンテナ１０の指向性を時間的に変化させている。
【００２９】
一方、アンテナ１０から放射された電波Ｅ１のうちコードレス電話機３に直接向かつた電波Ｅ１は、空間中に伝搬されてコードレス電話機３のアンテナ１５に到達する。因にパソコン２とコードレス電話機３との空間に様々な反射物等が存在することにより、このとき電波Ｅ１は上述のフエージングによつて減衰される場合がある。
【００３０】
実際上、図１との対応部分に同一符号を付して示す図２においては、このような無線通信を実現するためのアンテナ装置及び無線通信装置としての無線モデム付パソコン１を示すものである。
【００３１】
パソコン２においては、内部にパソコン本体２０（図２に破線で示す）が設けられており、当該パソコン本体２０の内部に図示しないＩＣメモリ、ハードデイスク駆動装置等が収納されている。このパソコン本体２０の外周は導電性のシールドケースで形成されている。このパソコン２には入力端子２２が設けられており、電話回線から音声等の送信信号Ｓ１が入力される。この入力端子２２にはケーブル２３が設けられており、この入力端子２２とパソコン本体２０とを接続している。
【００３２】
パソコン本体２０には、無線モデム部２１が設けられており、ケーブル２３から入力された送信信号に基づいて送信信号Ｓ５を生成し、この送信信号Ｓ５をダイポールアンテナ１０に送出する。この無線モデム部２１には、出力する半波長の電波Ｅ１に応じた形状及び大きさの２本のダイポールアンテナ１０が所定の間隔で線対称に設けられている。このアンテナ１０は無線モデム部２１から入力された送信信号Ｓ５を電波Ｅ１に変換して、この電波Ｅ１を冷却フアン３１及びコードレス電話機３に向けて空間中に放射する。
【００３３】
このようなパソコン本体２０は、当該パソコン本体２０の外周が筐体２４に覆われている。この筐体２４は、所定の長さ、幅及び高さで形成されており、当該筐体２４の内面とパソコン本体２０の内面との間に所定の間隔の空間としての筐体内空間２５が確保されている。この筐体２４は非導電性の樹脂で形成されている。
【００３４】
このような筐体２４には、図示しない表示装置及び起動ボタン等が正面２４Ａに設けられており、当該起動ボタンがユーザに押されて起動されると、当該パソコン本体２０及び表示装置等が熱を発生し、筐体２４内部の空気を加熱する。
【００３５】
これに対して、筐体２４には、所定の直径の換気口２４Ｃが背面２４Ｂに設けられていることにより、当該換気口２４Ｃを介して筐体内空間２５と筐体２４の外部空間とが通じている。因にこの換気口２４Ｃは、筐体２４内部の加熱空気と外部の空気とを入れ換え得る。この換気口２４Ｃには、図１について上述した指向性可変部５として冷却フアン（扇風機）３１が設けられている。
【００３６】
この冷却フアン３１には、図示しない回転モータが設けられており、所定の回転数Ｒで回転駆動する。ここで回転モータの所定の回転数Ｒは毎分 6000 〔rpm 〕回転に選定されている。この回転モータには回転軸２６が取り付けられており、当該回転モータによつて図に矢印ｒ１で示す方向に所定の回転数Ｒで回転される。この回転軸２６には、図１で上述した回転体１２としてプロペラ３２が当該回転軸２６の中心に取り付けられており、このプロペラ３２は当該回転軸２６の回転駆動によつて当該回転軸２６と同じく矢印ｒ１で示す方向に所定の回転数Ｒで回転される。
【００３７】
また冷却フアン３１は、当該プロペラ３２を回転させて得られる吸引力によつて、パソコン本体２０が発生する熱により加熱された加熱空気を換気口２４Ｃから外部空間に放出することにより、筐体２４内部のパソコン本体２０を冷却し得る。
【００３８】
実際上、冷却フアン３１は、回転モータによつて上述のように導体棒１３が内蔵されているプロペラ３２を矢印ｒ１で示す方向に毎分 6000 〔rpm 〕回転で回転させる。すなわち冷却フアン３１は、８本の導体棒１３を毎分 6000 〔rpm 〕回転で回転移動させることにより、導体棒１３の周辺を通過する電波Ｅ１に対して１回転毎に刻々と導体棒１３の位置を回転移動させ得る。因にこの毎分 6000 〔rpm 〕回転は、周波数ｆ〔Hz〕に換算すると毎秒 100〔Hz〕の周期となる。
【００３９】
これにより、冷却フアン３１は導体棒１３を電波Ｅ１に対して毎秒 100〔Hz〕の周期で回転させると、１本の導体棒１３につき、電波Ｅ１の放射方向を１秒間に 100回切り換えている。このような切り換えを８本の導体棒１３で行うと、電波Ｅ１の放射方向を１秒間に 800回切り換えていることになり、１本の導体棒１３による放射方向の切り換えに対して８倍の放射方向の切り換えを行つていることになる。
【００４０】
従つて、８本の導体棒１３は、毎分 6000 〔rpm 〕回転で回転移動されることにより、アンテナ１０の指向性を毎秒 800〔Hz〕の周期で変化させている。すなわち、冷却フアン３１はアンテナ１０の指向性を時間的に刻々と変化させ得る。かくして電波Ｅ１の伝搬経路が毎秒 800〔Hz〕の周期で変化され得る。
【００４１】
従つて、指向性可変手段としての冷却フアン３１は導体棒１３を回転移動させることにより、電波Ｅ１の放射方向を連続して切り換えて電波Ｅ２として、当該電波Ｅ２を空間中に放射する。これにより、電波Ｅ２は伝搬経路が変化されて所望のコードレス電話機３のアンテナ１５に到達する。
【００４２】
このように電波Ｅ２の伝搬経路を時間とともに変化させていることにより、定常的なデツドポイントが発生することを回避し得る。
【００４３】
コードレス電話機３には、無線部２７がケース２８内に収納されている。この無線部２７には所定の長さを有するダイポールアンテナ１５がケース２８を貫通して設けられていると共に無線部２７に接続されてスピーカ２９がケース２８の外周に設けられている。従つてアンテナ１５は、到達した電波Ｅ２、Ｅ１を受信して受信信号として無線部２７に送出する。無線部２７は入力された受信信号に対して所定の復調を施して受信信号を復元し、スピーカ２９を介して音声として出力する。
【００４４】
ここで図１において、３は上述のコードレス電話機３の構成を示すものである。
【００４５】
コードレス電話機３は、伝搬された電波Ｅ２、Ｅ１をダイポールアンテナ１５によつて受信して受信信号Ｓ６に変換して高周波回路１６に入力する。高周波回路１６は受信信号Ｓ６を所望電力に増幅し、その後受信信号Ｓ６を所定の帯域まで周波数変換し、その結果得られた受信信号Ｓ７をＤＱＰＳＫ復調器１７に入力する。ＤＱＰＳＫ復調器１７は、受信信号Ｓ７を送信側で行つた信号変調に応じて復調し、その結果得られた受信信号Ｓ７に遅延検波を施して復元し、その結果得られる受信データＳ８をフレームデインタリーブ回路１８に送出する。
【００４６】
フレームデインタリーブ回路１８は、受信データＳ８に対して送信側で行つたデータ並び換えを行つてデータ順序を元に戻し、その結果得られた受信データＳ９をビタビ復号器１９に送出する。ビタビ復号器１９は、送出側で行つた畳み込み符号を復号するために受信データＳ９にビダビ復号を施してバーストエラーの誤り訂正を行い（すなわち受信データを所定ビツト蓄積して畳み込み符号のトレリスを考え、データが取り得る全ての状態遷移の中から最も確からしい状態を推定することによつてエラーのないデータに復号する）、１フレームあたり所定〔bit 〕の受信信号Ｓ１０を復元する。従つて、無線部２７は最終的に送信側で送信した送信信号Ｓ１を受信信号Ｓ１０として復元し、スピーカ２９を介して音声として出力する。
【００４７】
ここでフエージングによつて各電波Ｅ２及び又は電波Ｅ１の位相がそれぞれ別々に変動され、その干渉によつて打ち消し合つて電波Ｅ２が届かないデツドポイントが場所的に発生した場合、コードレス電話機３が当該デツドポイントの場所に設置されても、アンテナ１０の指向性を時間的に変化させていることにより、短時間で当該デツドポイントを場所的に変えている。従つて、このデツドポイントの場所では受信レベルの低下が瞬時で済むようになる。これにより、無線部２７はこの瞬時受信レベルの低下で発生するバーストエラーを上述の誤り訂正技術によつてエラーを少なくし得る。かくして、無線モデム付パソコン１はパソコン２とコードレス電話機３との間で通信不能に陥つてしまうことを回避し得る。
【００４８】
以上の構成において、無線モデム付パソコン１は、コードレス電話機３と無線通信する際に、アンテナ１０から放射された電波Ｅ１に対して導体棒１３を回転移動させ、電波Ｅ１をアンテナ１０と導体棒１３とを結ぶ所定の延長線方向に導くことにより、電波Ｅ１の伝搬経路を連続して変化させる。すなわちアンテナ１０の指向性を時間的に刻々と変化させる。これにより伝搬経路を時間的に変化させて電波Ｅ２をコードレス電話機３のアンテナ１５に到達させる。
【００４９】
従つて、フエージングによつて発生するデツドポイントを場所的に短時間で変えることができるので、従来のような定常的なデツドポイントが発生することを回避できる。これにより受信レベルの低下を瞬時にすることでバーストエラーを誤り訂正技術によつてエラーを少なくすることができるので、良好な状態で無線通信することができる。
【００５０】
以上の構成によれば、無線モデム付パソコン１はアンテナ１０から放射された電波Ｅ１に対して、当該電波Ｅ１を所定方向に導く導体棒１３を回転移動させてアンテナ１０の指向性を時間的に変化させ得る冷却フアン３１を設けたことにより、定常的なデツドポイントが発生することを回避できるので、良好な状態で無線通信することができる。
【００５１】
かくして簡易な構成でフエージングによる悪影響を回避して良好な状態で無線通信し得るアンテナ装置及び無線通信装置を実現することができる。
【００５２】
また上述の構成によれば、無線モデム付パソコン１は一般のパソコンで用いられている冷却フアン３１を用いて機械的にアンテナ１０の指向性を変化させていることにより、通信対象の各子機に対してユーザが手動でアンテナ１０の向きを切り換える方法に比べてユーザの手間を省くことができる。
【００５３】
（２）第２実施例
図１との対応部分に同一符号を付して示す図３においては、本発明の第２の実施例による無線モデム付パソコン１を示す。
【００５４】
この第２の実施例の場合、上述の第１の実施例と同様に冷却フアン４０が設けられている。この冷却フアン４０は、プロペラフアン４１を有し、当該プロペラフアン４１を１方向に回転させる。このプロペラフアン４１には当該プロペラフアン４１の中心から放射状に８枚のフイン４１Ａが配設されている。
【００５５】
この実施例の場合、プロペラフアン４１は導電性の物質で構成されており、電波Ｅ１を反射し得る。ここで冷却フアン４０によつてフイン４１Ａが回転されアンテナ１０に最も近づくとき、当該アンテナ１０からの距離が半波長程度になる位置にプロペラフアン４１が取り付けられている。
【００５６】
実際上、冷却フアン４０は、フイン４１Ａを回転させることにより、アンテナ１０から放射された電波Ｅ１のうち、フイン４１Ａに衝突する電波Ｅ１を反射する。やがて電波Ｅ１を反射していた各フイン４１Ａが回転され当該各フイン４１Ａの間に電波Ｅ１が位置すると、当該電波Ｅ１は各フイン４１Ａの間に伝搬され空間中に放射される。このような動作を短時間に繰り返すことにより、冷却フアン４０は連続して間欠的に電波Ｅ２を伝搬させている。すなわち冷却フアン４０はアンテナ１０の指向性を時間的に刻々と変化させ得る。
【００５７】
従つて、指向性可変手段としての冷却フアン４０においては、電波Ｅ１を放射する放射導体としてダイポールアンテナ１０と、無給電素子が電波Ｅ１を所定方向に反射する働きをする反射器としてのプロペラフアン４１とを有し、当該アンテナ１０から放射された電波Ｅ１に対してプロペラフアン４１を回転移動させることにより、連続して間欠的に電波Ｅ１を伝搬させている。
【００５８】
以上の構成において、無線モデム付パソコン１は、コードレス電話機３と無線通信する際に、アンテナ１０から放射された電波Ｅ１に対して導電性のフイン４１Ａを回転させることにより、この放射された電波Ｅ１のうち、フイン４１Ａに衝突する電波Ｅ１を反射する。続いて電波Ｅ１を反射していた各フイン４１Ａを回転させて各フイン４１Ａの間に電波Ｅ１を位置させると、当該電波Ｅ１を各フイン４１Ａの間に伝搬させて空間中に放射する。この動作を各フイン４１Ａを回転させて短時間に繰り返すことにより、連続して間欠的に電波Ｅ２を伝搬させる。すなわちアンテナ１０の指向性を時間的に刻々と変化させ得る。これにより連続して間欠的に電波Ｅ２を伝搬させてコードレス電話機３のアンテナ１５に到達させる。
【００５９】
従つて、フエージングによつて発生するデツドポイントを場所的に短時間で変えることができるので、従来のような定常的なデツドポイントが発生することを回避できる。これにより受信レベルの低下を瞬時にすることでバーストエラーを誤り訂正技術によつてエラーを少なくすることができるので、良好な状態で無線通信することができる。
【００６０】
以上の構成によれば、無線モデム付パソコン１はアンテナ１０から放射された電波Ｅ１に対して、当該電波Ｅ１を反射する導電性のフイン４１Ａを回転させてアンテナ１０の指向性を時間的に変化させ得る冷却フアン４０を設けたことにより、定常的なデツドポイントが発生することを回避できるので、良好な状態で無線通信することができる。
【００６１】
かくして簡易な構成でフエージングによる悪影響を回避して良好な状態で無線通信し得るアンテナ装置及び無線通信装置を実現することができる。
【００６２】
また上述の構成によれば、無線モデム付パソコン１は一般のパソコンで用いられている冷却フアン４０を用いて機械的にアンテナ１０の指向性を変化させていることにより、通信対象の各子機に対してユーザが手動でアンテナ１０の向きを切り換える方法に比べてユーザの手間を省くことができる。
【００６３】
（３）第３実施例
図２との対応部分に同一符号を付して示す図４においては、本発明の第３の実施例による無線モデム付パソコン１を示す。
【００６４】
この第３の実施例の場合、上述の第１の実施例と同様に冷却フアン５０が設けられている。この冷却フアン５０はプロペラフアン５１を有し、当該プロペラフアン５１を１方向に回転させる。このプロペラフアン５１には当該プロペラフアン５１の中心から放射状に８枚のフイン５１Ａが配設されている。
【００６５】
この実施例の場合、無線モデム部２１には、当該無線モデム部２１とプロペラフアン５１とを結ぶ所定の長さの給電ばね５３が取り付けられており、当該無線モデム部２１は送信信号Ｓ５をこの給電ばね５３に送出する。プロペラフアン５１には回転軸２６と同じ中心をもつ金属性の円環状のリング５４が設けられており、このリング５４は給電ばね５３に接触されている。これにより、プロペラフアン５１が回転されると、このリング５４に給電ばね５３が接触し続けており、給電ばね５３は無線モデム部２１から送出された送信信号Ｓ５を金属でなるリング５４に送出する。このリング５４には、線状アンテナ５２が１枚のフイン５１Ａの内部に埋め込まれて取り付けられており、所定の形状及び大きさの導体棒で構成されている。因に、このフイン５１Ａは非導電性の物質で構成されており、内蔵されている線状アンテナ５２から放射される電波Ｅ１を透過させ空間中に放射する。
【００６６】
実際上、冷却フアン５０は、プロペラフアン５１を回転させることにより、線状アンテナ５２の方向を360 〔°〕切り換えることにより、電波Ｅ２を伝搬させる電波通路を連続して切り換える。すなわち冷却フアン５０はアンテナ５２の指向性を時間的に刻々と変化させ得る。
【００６７】
従つて、指向性可変手段としての冷却フアン５０においては、電波Ｅ１を放射する放射導体としてアンテナ５２を有し、当該アンテナ５２を回転移動させることにより、電波Ｅ１が伝搬される電波通路を連続して切り換え得る。
【００６８】
以上の構成において、無線モデム付パソコン１は、コードレス電話機３と無線通信する際に、アンテナ５２を回転させることにより、アンテナ５２の方向を360 〔°〕切り換えて電波Ｅ２の電波通路を連続して切り換える。すなわちアンテナ５２の指向性を時間的に刻々と変化させる。これにより電波通路を高速に切り換え続け電波Ｅ２をコードレス電話機３のアンテナ１５に到達させる。
【００６９】
従つて、フエージングによつて発生するデツドポイントを場所的に短時間で変化させることができるので、従来のような定常的なデツドポイントが発生することを回避できる。これにより受信レベルの低下を瞬時にすることでバーストエラーを誤り訂正技術によつてエラーを少なくすることができるので、良好な状態で無線通信することができる。
【００７０】
以上の構成によれば、無線モデム付パソコン１は、アンテナ５２の向きを360 〔°〕の方向に連続して切り換えてアンテナ５２の指向性を時間的に変化させ得る冷却フアン５０を設けたことにより、定常的なデツドポイントが発生することを回避できるので、良好な状態で無線通信することができる。かくして簡易な構成でフエージングによる悪影響を回避して良好な状態で無線通信し得るアンテナ装置及び無線通信装置を実現することができる。
【００７１】
また上述の構成によれば、無線モデム付パソコン１は一般のパソコンで用いられている冷却フアン５０を用いて機械的にアンテナ５２の指向性を変化させていることにより、通信対象の各子機に対してユーザが手動でアンテナ５２の向きを切り換える方法に比べてユーザの手間を省くことができる。
【００７２】
（４）他の実施例
なお上述の実施例においては、アンテナ装置部４に指向性可変部５として冷却フアン３１を設けて導体棒１３等を電波Ｅ１に対して回転移動させた場合について述べたが、本発明はこれに限らず、電波Ｅ１に対して導体棒１３等を連続して高速に移動させる移動手段を用いれば上述の実施例と同様の効果を得ることができる。
【００７３】
また上述の実施例においては、電波Ｅ１の伝搬経路を毎秒 800〔Hz〕の周期で変化させた場合について述べたが、本発明はこれに限らず、伝搬経路を変化させる周期が時間的に速いほど、デツドポイントが場所的に早く変わるので、通信不能に陥つてしまうことを早く回避し得る。因に回転移動させる導体棒１３の本数も増やした方が、伝搬経路を変化させる周期が時間的に速くなるのでよい。
【００７４】
さらに上述の実施例においては、非導電性の物質で構成されたフイン１２Ａの内部に導体棒１３が配設された場合について述べたが、本発明はこれに限らず、電波Ｅ１に対してフイン１２Ａから露出されていてもよい。
【００７５】
さらに上述の実施例においては、ダイポールアンテナ１０を用いた場合について述べたが、本発明はこれに限らず、複数のアンテナを用いてアンテナの指向性を切り換えるデイストリビユーテツドアンテナ等、この他種々のアンテナを用いても良い。
【００７６】
さらに上述の実施例においては、無線電波を送信及び又は受信する無線通信装置として無線モデム付パソコン１及びコードレス電話機３を用いた場合について述べたが、本発明はこれに限らず、無線装置を有し、屋内に一度設置すると、移動させることが困難なエアコンやテレビ等、その他種々の無線通信装置を用いても上述の実施例と同様の効果を得ることができる。
【００７７】
さらに上述の実施例においては、アンテナ１０の指向性を機械的に変化させ得るアンテナ装置部４を送信側に設けた場合について述べたが、本発明はこれに限らず、アンテナ装置部４を受信側に設けるようにしても上述の実施例と同様の効果を得ることができる。これは、通常アンテナにおいては送信特性と受信特性の間に対象性があると考えられるため、受信側でアンテナ指向性を変化させて上述の実施例と同様の効果を得ることができる。
【００７８】
【発明の効果】
上述のように本発明によれば、アンテナ装置又は無線通信装置に、モータの回転に応じて、筺体の内部空気と筺体の外部空気とを入れ換えるプロペラと、そのプロペラに設けられ、無線電波を送信及び又は受信するためのアンテナとを設け、当該モータの回転に応じてアンテナを移動させてアンテナの指向性を時間的に変化させるようにした。これにより定常的なデツドポイントが発生することを回避できるため、良好な状態で無線通信することができる。
【００７９】
かくして簡易な構成でフエージングによる悪影響を回避して良好な状態で無線通信し得るアンテナ装置及び無線通信装置を実現できる。
【図面の簡単な説明】
【図１】本発明による無線通信装置の回路構成を示す略線的ブロツク図である。
【図２】本発明による無線通信装置の第１実施例の構成を示す略線的斜視図である。
【図３】本発明による無線通信装置の第２実施例の構成を示す略線的斜視図である。
【図４】本発明による無線通信装置の第３実施例の構成を示す略線的斜視図である。
【符号の説明】
１……無線モデム付パソコン、２……パソコン、３……コードレス電話機、４……アンテナ装置部、５……指向性可変部、１０、１５……ダイポールアンテナ、１２……回転体、１３……導体棒、２１……無線モデム部、３１、４０、５０……冷却フアン、３２……プロペラ。
【図１】
0003731691.tif 000002
【図２】
0003731691.tif 000003
【図３】
0003731691.tif 000004
【図４】
0003731691.tif 000005